(57)【要約】【課題】  ＯＦＤＭ通信方式での無線通信システムにおいて、制御信号を基地局から端末局（移動局）に伝送する際の、基地局或いは端末局での負担を減らす。【解決手段】  基地局と端末局との間で、フレーム周期で、ＯＦＤＭ変調方式によるマルチキャリア信号を使用して情報伝送を行う場合において、基地局からの端末局宛ての制御信号の一部の送信を、フレーム周期の特定位置で行う。【選択図】      図１
2005245035.tif 000002
【特許請求の範囲】
【請求項１】
基地局と端末局との間で、フレーム周期で、ＯＦＤＭ変調方式によるマルチキャリア信号を使用して情報伝送を行う無線通信方法において、
基地局からの端末局宛ての制御信号の一部の送信を、上記フレーム周期の特定位置で行う
無線通信方法。
【請求項２】
基地局と端末局との間で、フレーム周期で、ＯＦＤＭ変調方式によるマルチキャリア信号を使用して情報伝送を行う無線通信システムにおいて、
上記基地局として、送信する情報をＯＦＤＭ変調方式で変調して、マルチキャリア信号を生成させる送信信号生成手段と、
上記送信信号生成手段で生成されたマルチキャリア信号を送信させ、基地局からの端末局宛ての制御信号の一部の送信を、上記フレーム周期の特定位置で送信させる送信処理手段とを備え、
上記端末局として、待ち受け時に、上記フレーム周期内の特定位置の受信だけを行う受信処理手段とを備えた
無線通信システム。
【請求項３】
請求項２記載の無線通信システムにおいて、
上記フレーム周期内の特定位置を用いて基地局から送信される端末局宛ての制御信号の一部は、端末局の呼出しのための信号、あるいはその呼出しのための信号の一部とし、
上記端末局の受信処理手段は、基地局からの呼出しの待ち受け時に、上記フレーム周期内の特定位置の受信を周期的に行い、その特定位置で伝送された信号で呼び出しがあることを判別した場合に、上記フレーム周期内の特定位置以外を受信する
無線通信システム。
【請求項４】
請求項２記載の無線通信システムにおいて、
上記基地局の送信処理手段から、上記フレーム周期内の特定位置で送信される信号は、サブキャリアの本数を減らして周波数帯域幅を狭くした信号であり、
上記端末局の受信処理手段は、上記フレーム周期内の特定位置の信号を受信する場合に、その狭い周波数帯域内のサブキャリアだけを受信処理する
無線通信システム。
【請求項５】
請求項２記載の無線通信システムにおいて、
上記基地局の送信信号生成手段は、上記特定のサブキャリアを用いて送信される端末局宛ての制御信号の一部を、伝送路の推定を不要とする符号化形式で符号化し、
上記端末局の受信処理手段が上記特定のサブキャリアを受信した場合に、伝送路の推定をしないで、このサブキャリアを用いて伝送された信号の受信処理を行う
無線通信システム。
【請求項６】
端末局との間で、フレーム周期で、ＯＦＤＭ変調方式によるマルチキャリア信号を使用して情報伝送を行う無線基地局において、
送信する情報をＯＦＤＭ変調方式で変調して、マルチキャリア信号を生成させる送信信号生成手段と、
上記送信信号生成手段で生成されたマルチキャリア信号を送信させ、基地局からの端末局宛ての制御信号の一部の送信を、上記フレーム周期の特定位置で送信させる送信処理手段とを備えた
無線基地局。
【請求項７】
請求項６記載の無線基地局において、
上記送信処理手段で、フレーム周期内の特定位置を用いて送信する端末局宛ての制御信号の一部は、端末局の呼出しのための信号、あるいはその呼出しのための信号の一部である
無線基地局。
【請求項８】
請求項６記載の無線基地局において、
上記送信処理手段から、上記フレーム周期内の特定位置で送信される信号は、サブキャリアの本数を減らして周波数帯域幅を狭くした信号である
無線基地局。
【請求項９】
請求項６記載の無線基地局において、
上記送信信号生成手段は、上記特定のサブキャリアを用いて送信される端末局宛ての制御信号の一部を、伝送路の推定を不要とする符号化形式で符号化する
無線基地局。
【請求項１０】
基地局との間で、フレーム周期で、ＯＦＤＭ変調方式によるマルチキャリア信号を使用して情報伝送を行う無線通信端末において、
待ち受け時に、上記フレーム周期内の特定位置の受信だけを行う受信処理手段と、
上記受信処理手段が受信した特定位置の信号から、自局の呼び出しを検出した場合に、上記受信処理手段で上記フレーム周期内の特定位置以外の受信を実行させる制御手段とを備えた
無線通信端末。
【請求項１１】
請求項１０記載の無線通信端末において、
上記受信処理手段は、上記フレーム周期内の特定位置の信号を受信する場合に、上記マルチキャリア信号の周波数帯域内の特定の１つ又は複数のサブキャリアだけを受信処理する
無線通信端末。
【請求項１２】
請求項１０記載の無線通信端末において、
上記受信処理手段が上記特定位置の信号を受信した場合に、伝送路の推定をしないで、このサブキャリアで伝送された信号の受信処理を行う
無線通信端末。
【請求項１３】
基地局と端末局との間で、フレーム周期で、ＯＦＤＭ変調方式によるマルチキャリア信号を使用して情報伝送を行う無線通信システムに適用されるプログラムにおいて、
上記基地局で、送信する情報をＯＦＤＭ変調方式で変調して、端末局宛てのマルチキャリア信号を生成させて送信し、
端末局宛ての制御信号の一部については、上記フレーム周期の特定位置で送信させる
プログラム。
【請求項１４】
基地局と端末局との間で、フレーム周期で、ＯＦＤＭ変調方式によるマルチキャリア信号を使用して情報伝送を行う無線通信システムに適用されるプログラムにおいて、
上記端末局での待ち受け時に、上記フレーム周期内の特定位置の受信だけを行い、その受信した特定位置の信号から、自局の呼び出しを検出した場合に、フレーム周期内の特定位置以外の受信を実行させる
プログラム。
【発明の詳細な説明】
【技術分野】
【０００１】
本発明は、例えば、データ通信などを行う無線通信システムに適用して好適な無線通信方法、無線通信システム、無線基地局及び無線通信端末と、かかるシステムを構成する機器に実装されるプログラムに関し、特にＯＦＤＭ（Orthogonal Frequency Division Multiplex ：直交周波数分割多重）変調方式で無線伝送する場合に好適なものに関する。
【背景技術】
【０００２】
ＯＦＤＭ変調方式により情報伝送を行う無線ＬＡＮシステムとして開発された無線通信方式を、公衆マルチセルサービス用途に用いる試みがなされている。ＯＦＤＭ変調方式の場合には、用意された１伝送チャンネル内に、複数のサブキャリアを用意して、それぞれのサブキャリアに伝送させる情報を分散させて変調させて伝送させる方式である。ＯＦＤＭ変調方式を使用した無線通信システムは、移動体通信におけるマルチパス遅延波の遅延時間に比べて１ＯＦＤＭシンボルの時間長を長くすることが出来るためにマルチパス耐性に優れ、移動体高速データ通信に適している。
【０００３】
図２９は、従来の無線通信システムのキャリア配置例を示した図である。ここでは、HiSWANa と称される方式で決められたキャリア配置を示したものである。中心キャリア周波数として、5.17GHz 、5.19GHz 、5.21GHz 、5.23GHz が定義されており、各々のキャリアには、ガードバンドを含んで20MHz の信号帯域が与えられている。
【０００４】
図３０は、従来の無線通信システムの１伝送チャンネルのサブキャリア配置例を示した図である。図２９で示した各々の20MHz 帯域内には、ＯＦＤＭ変調により生成されたサブキャリア群が312.5kHzおきに配置され、合計５３本のサブキャリア分が情報伝送用途として占有されている。なお、ここでは５３本のサブキャリアの内の中心である、等価基底帯域系におけるＤＣを中心とするサブキャリア（搬送波周波数帯における中心周波数f0のサブキャリアに相当）は、情報が伝送されないヌルキャリア（null carrier）となっている。情報伝送用途に使用される周波数帯域は16.5625MHzであり、両外の約1.7MHz分は隣接キャリアとのアイソレーションをとるためのガードバンドとして確保され使用されていない。
【０００５】
図３１に、従来の無線通信システムにおける制御信号の送信フォーマットの例を示す。ここで示したシステムでは、2m秒周期のＭＡＣフレームという送受信単位が定義されており、１無線フレームは2msec の長さを持っており、大別してブロードキャストバースト、ダウンリンクフェーズ、アップリンクフェーズ、コンテンションフェーズの４つの部分から構成される。なお図３１３１では、ブロードキャストバーストとダウンリンクフェーズだけを示してあり、ダウンリンクフェーズについてはダウンリンクバーストペイロード（ＤＬバーストペイロード）として示してある。
【０００６】
ブロードキャストバーストとダウンリンクフェーズは基地局から端末局への送信を行なう区間であり、ブロードキャストバーストは主にその配下の全端末局に向けて送信される制御信号を伝送する区間であり、ダウンリンクフェーズは主に各端末局にトラフィックデータを送信するための複数のダウンリンクバーストからなる区間である。アップリンクフェーズ、コンテンションフェーズは、端末局から基地局への送信を行なう区間である。ブロードキャストバーストには、ブロードキャストプリアンブル、基地局情報などを同報する為のＢＣＨ、同一フレーム内のトラフィックチャネル割当等を各端末局に通知するためのＦＣＨ、端末局からの発呼に用いられるＲＣＨに対する応答が行われるＡＣＨが含まれる。
【０００７】
ダウンリンクフェーズには、短いトラフィックチャネルであるＳＣＨと長いトラフィックチャネルであるＬＣＨとが含まれる。ダウンリンクフェーズの期間においては、ひとつの移動局に向けて複数のＳＣＨ及び／またはＬＣＨを連結して使うことが出来るようになっており、これをＰＤＵ（プロトコルデータユニット）トレインと呼ぶ。このＰＤＵトレインごとに、その先頭にダウンリンクプリアンブルが付けられる。１ＰＤＵトレインにダウンリンクプリアンブルが付加されたものをダウンリンクバーストと呼ぶ。アップリンクバーストの期間においては、短いトラフィックチャネルであるＳＣＨと長いトラフィックチャネルであるＬＣＨとが含まれる。アップリンクにおいても、ダウンリンクの場合と同様にＰＤＵトレインが形成され、このＰＤＵトレインごとに、その先頭にアップリンクプリアンブルが付けられる。１ＰＤＵトレインにアップリンクプリアンブルが付加されたものをアップリンクバーストと呼ぶ。コンテンションフェーズには移動局からの発呼に用いられるRCH が含まれ、このＲＣＨひとつひとつの先頭にもアップリンクプリアンブルが付加され、アップリンクバーストを形成する。
【０００８】
ブロードキャストプリアンブルは16μsec の長さを持っており、端末局はこの区間を受信することにより電源投入後の基地局サーチ、初期同期獲得、フレーム同期、周波数誤差補正、シンボル同期等を行なう。ダウンリンクプリアンブルは8 μsec の長さを持っており、端末局はこの区間を受信することにより更に正確なタイミング補正、周波数誤差補正、シンボル同期等を行なう。アップリンクプリアンブルは16μsec の長さを持っており、基地局はこの区間を受信することにより端末局からの送信信号に対するタイミング補正、周波数誤差補正、シンボル同期等を行なう。
【０００９】
このようなシステムにおいては、端末局呼出信号はＦＣＨにおける各端末局へのトラフィックチャネル割当情報として伝送され、呼出されるのを待っている待受けモードの端末局はブロードキャストバーストのＢＣＨ、ＦＣＨの全てを受信してから自分が呼びだされるかどうかを判断するようになっている。
【００１０】
なお、端末局における待受け時間を増大させるために、全てのフレームの先頭におけるブロードキャストバーストのＢＣＨ、ＦＣＨを受信するのではなく、基地局と端末局のネゴシエーションによって受信すべきフレーム間隔を間引くような運用方法も可能である。
【００１１】
図３２は、従来のＯＦＤＭ変調方式を適用した無線通信システムにおける端末局３００の構成例を示す。先ず、送信系の構成を、信号の流れに沿って説明する。音声通信の場合は音声信号が、コンピュータと接続されるようなデータ通信の場合にはデータ信号がデータ入出力処理部３０１に入力され、適切なデジタルデータ列へと変換される。その出力は送信データ処理部３１１に入力され、必要であれば図示しない無線通信の相手である別のＯＦＤＭ無線装置（基地局）に送信する通信制御データを制御部３０２から受け取り、それを適宜マルチプレックスした後に無線区間で送信される為のフレームやスロット構造を形成して出力される。
【００１２】
その出力はＣＲＣ（Cyclic Redundancy Check ）付加部３１２に入力され、受信側での誤り検出のための冗長度が付加されて出力される。その出力は暗号器３１３に入力され、暗号化が施されて出力される。その出力はスクランブラ３１４に入力され、或る定められたアルゴリズムにしたがって擬似的にランダムになるようなスクランブル処理を施されて出力される。その出力は符号化器３１５に入力され、誤り訂正符号化が施され出力される。畳込み符号化、ターボ符号化、リードソロモン符号化、あるいは複数の符号化の組み合わせによる連接符号化など、様々な種類の符号化が知られている。
【００１３】
符号化器３１５の出力は、インターリーバ３１６に入力され、受信側において逆操作を行うことによりバースト誤りがランダム誤りに変換できるよう、符号化されたビット列を特定の規則に従って並べ替えるインターリーブが施され出力される。その出力は変調器３１７に入力され、送信時の信号点にマッピングされ、同相成分（Ｉ成分）と直交成分（Ｑ成分) とが出力される。その出力は複素ＩＦＦＴ部３１８に入力され、逆ＦＦＴ（逆高速フーリエ変換）が施されることによるＯＦＭＤ変調が行われて出力される。
【００１４】
その出力は時間波形整形部３１９に入力され、例えばサイクルプリフィックス付加によるガードタイムを設け、ＯＦＤＭ変調シンボルの立ち上がりと立ち下がりが滑らかになるようなウィンドウイング処理が施されて出力される。その出力はＤＡ変換器３２０に入力されて、デジタル波形からアナログ波形へと変換されて出力される。その出力はＲＦ送信器３２１に入力される。このＲＦ送信器３２１においては、フィルタリング、Ｉ成分とＱ成分によるベクトル変調、適切な送信周波数チャネルへの周波数変換、送信電力制御、増幅等が行われて出力される。
【００１５】
ＲＦ送信器３２１からの出力信号はアンテナ共用器３２２に入力され、そのアンテナ共用器３２２からの出力はアンテナ３２３に入力され、最終的にはアンテナ３２３から電磁波として送信される。この送信信号は、図示していない無線通信の相手である別のＯＦＤＭ無線装置（基地局）によって受信される。アンテナ共用器３２３は送信信号と受信信号を分離するためのもので、送信と受信とが異なるタイミングで実行されるＴＤＤ方式やＦＤＤ／ＴＤＭＡ方式においてはアンテナスイッチが、それ以外の方式ではデュープレクサが一般に使用される。
【００１６】
次に、端末局３００の受信系の構成を説明する。ここで端末局３００で受信する信号は、図示していない無線通信の相手である別のＯＦＤＭ無線装置（基地局）によって送信されたものであり、上述した端末局３００の送信系と同様の処理を行って送信信号が作られているものとする。
【００１７】
図示していない無線通信の相手である別のＯＦＤＭ無線装置（基地局）による送信信号は電磁波としてアンテナ３２３で受信される。その信号はアンテナ共用器３２２で自局の送信信号と分離されて受信系の回路であるＲＦ受信器３３１に入力される。このＲＦ受信器３３１においては、増幅、不要周波数成分の減衰、希望周波数チャネルの選択、周波数変換、受信信号振幅レベル制御、Ｉ成分とＱ成分とを分離するベクトル検波、帯域制限などが行われてＩ成分とＱ成分が出力される。ＲＦ受信器３３１からの出力は、ＡＤ変換器３３２に入力されてアナログ波形からデジタル波形へと変換されて出力される。
【００１８】
その出力は同期回路３３３に入力され、フレーム同期、周波数誤差補正等が施されて出力される。また、電源投入直後等に可能な通信相手を探索するような場合には、この同期回路３３３にて同期信号検出を行ったり初期同期を行うように構成されている。同期回路３３３の出力は時間波形整形部３３４に入力され、例えばサイクルプリフィックス付加によるガードタイムを除去するような時間波形整形を施されて出力される。この出力は複素ＦＦＴ部３３５に入力され、ＦＦＴ（高速フーリエ変換）が施されることによるＯＦＤＭ復調が行われて出力される。この出力は等化器３３６に入力される。
【００１９】
等化器３３６においては伝送路の推定や推定結果による等化が行われる。場合によっては、同期回路３３３の情報も等化器３３６に入力され、伝送路推定等に使用される。等化器３３６の出力は復調器３３７に入力され、信号点判定が施されて受信ビット推定値が出力される。その出力はデインターリーバ３３８に入力され、符号化されたビット列を特定の規則に従って並べ替えるデインターリーブが施され出力される。その出力は復号器３３９に入力され送信側で施された誤り訂正符号の復号が行われて出力される。
【００２０】
その出力はデスクランブラ３４０に入力され、送信側で行われたスクランブルの逆変換であるデスクランブル処理が施されて出力される。その出力は暗号解除器３４１に入力され、送信側で施された暗号化が解除されて出力される。その出力はＣＲＣチェック部３４２に入力され、ＣＲＣを外したデータとその受信ブロックのＣＲＣチェックの結果とが出力される。その出力は受信データ処理部３４３に入力される。受信ブロックのＣＲＣチェックの結果誤りが無いと判断されていれば、無線区間で送信のために施されたフレーム構造やスロット構造を外して出力する。その出力はデータ入出力処理部３０１に入力され、音声通信の場合は音声信号が、コンピュータと接続されるようなデータ通信の場合にはデータ信号へと変換されて出力される。
【００２１】
受信データに図示しない無線通信の相手である基地局から送信された通信制御データが含まれていた場合には、その部分を受信データ処理部３４３が取り出して出力し、その出力は受信系制御線３０４を介して制御部３０２に入力され、制御部３０２は受け取った制御データを解釈して、その指示に従って端末局３００の各部の動作制御を行う。
【００２２】
仮に、ＡＲＱ（Automatic Request for Reception ）方式が採用されている場合には、受信データ処理部３４３は以下のように動作する。即ち、ＣＲＣチェック部３４２からの入力信号に、受信ブロックに誤りが含まれていないという情報が含まれていた場合は、上述したように受信ブロックを受信データ処理部３４３へと出力する一方、受信ブロックに誤りが含まれていなかった旨を受信系制御線３０４を介して制御部３０２へと出力し、これを受け取った制御部３０２は、図示しない無線通信相手である別のＯＦＤＭ無線装置（基地局）にＡＣＫ信号を送信するように送信系制御線３０３を介して送信データ処理部３１１に指示する。送信データ処理部３１１は送信ＡＣＫ信号を送信データにマルチプレックスする等して、以下は既に説明した送信系の処理でＡＣＫ信号が基地局に向けて送信される。
【００２３】
逆に、ＣＲＣチェック部３４２からの入力信号に、受信ブロックに誤りが含まれていたという情報が含まれていた場合は、上述したような受信ブロックを受信データ処理部３４３へと出力せず、受信ブロックに誤りが含まれていた旨を受信系制御線３０４を介して制御部３０２へと出力する。これを受け取った制御部３０２は、図示しない無線通信相手である基地局にＮＡＫ信号を送信するように送信系制御線３０３を介して送信データ処理部３１１に指示し、送信データ処理部３１１は送信ＮＡＫ信号を送信データにマルチプレックスする等して、以下は既に説明したような送信系の処理にしたがってＮＡＫ信号が基地局に向けて送信される。これを受信した基地局は、ＮＡＫ信号が送られてきたブロックの再送を行う。
【００２４】
また、ＡＲＱ方式等の再送が用いられていない、音声通信のようなストリーム通信の場合には、受信データ処理部３４３は以下のように動作する。即ち、ＣＲＣチェック部３４２からの入力信号に、受信ブロックに誤りが含まれていないという情報が含まれていた場合は、上述したように受信ブロックを受信データ処理部３４３へと出力する。逆に、ＣＲＣチェック部３４２からの入力信号に、受信ブロックに誤りが含まれていたという情報が含まれていた場合は、受信データ処理部３４３は当該受信ブロックを破棄し、イレイジャーとして扱い、ひとつ前の受信ブロックを用いて補完するなどの処理を行う。
【００２５】
送信系の各部は送信系制御線３０３を介して制御部３０２に接続されており、制御部３０２はこれを介して送信系のオン・オフ制御、ＲＦ送信器３３１の動作制御・状態監視、送信タイミングの微調整、符号化方式や信号点マッピングの方式の変更、前述した再送制御等、様々な送信系の動作の制御・監視を行う。受信系の各部は受信系制御線３０４を介して制御部３０２に接続されており、制御部３０２はこれを介して受信系のオン・オフ制御、ＲＦ受信器３３１の動作制御・状態監視、受信タイミングの微調整、復号方式や信号点デマッピングの方式の変更、前述した再送制御等、様々な受信系の動作の制御・監視を行う。
【発明の開示】
【発明が解決しようとする課題】
【００２６】
このようなＯＦＤＭ通信システムにおいて、基地局側から端末局を呼びだすための信号は送信帯域のサブキャリア全てに情報を載せて送信され、端末局は全てのサブキャリアを受信して呼出信号の受信を行なっていた。すなわち、送受信するデータの有無に関わらず、2m秒おきに20MHz 分の帯域信号を受信してデコードしていなければならない。したがって、情報データの送受信を行わない場合であっても、多大な信号処理が課せられていることになる。特に、端末局がバッテリにより駆動されている移動可能な局である場合などには、バッテリが無駄に消費してしまうという問題があった。
【００２７】
この問題を緩和させるために、すべてのＭＡＣフレームにおける制御信号フィールドを受信するのではなく、基地局と端末局のネゴシエーションにより受信すべきフレーム間隔を間引くような運用方法が一般的に知られている。
【００２８】
ところが、受信すべきフレーム間隔を間引いた場合でも、受信するフレーム期間では、情報の送受信を行う場合と同様の受信が必要であり、端末局での負担がそれほど減るものではない。
【００２９】
本発明は、この種の無線通信システムにおいて、制御信号を基地局から端末局に伝送する際の、基地局又は端末局での負担を減らすことを目的とする。
【課題を解決するための手段】
【００３０】
本発明は、基地局と端末局との間で、フレーム周期で、ＯＦＤＭ変調方式によるマルチキャリア信号を使用して情報伝送を行う無線通信方法において、基地局からの端末局宛ての制御信号の一部の送信を、フレーム周期の特定位置で行うものである。
【００３１】
かかる発明によると、端末局で制御信号の一部だけを受信する場合に、フレーム周期内の特定位置だけを受信すれば良くなる。
【発明の効果】
【００３２】
本発明によると、基地局と端末局との間で、フレーム周期で、ＯＦＤＭ変調方式によるマルチキャリア信号を使用して情報伝送を行う場合に、端末局で制御信号の一部だけを受信する場合には、特定のフレーム位置だけを受信すれば良くなる。従って、制御信号の一部だけを受信する場合には、フレーム周期内の全ての信号を受信する必要がなくなり、端末局における情報データの送受信を行わない時間帯における低消費電流を実現し、バッテリ駆動時間を延ばすことが可能となる。また、特定のフレーム位置だけを受信中であっても、情報データの送受信を行うキャリアのフレームタイミングを保持することが可能となり、しばらく休止状態にあった端末局でもデータ送受信を即座に可能なものとする。
【００３３】
この場合、特定位置で基地局から送信する端末局宛ての制御信号の一部は、端末局の呼出しのための信号、あるいはその呼出しのための信号の一部としたことで、基地局からの呼び出しの待ち受け処理を、低消費電力で効率良く実行できるようになる。
【００３４】
また、特定位置で基地局から送信される信号は、サブキャリアの本数を減らして周波数帯域幅を狭くしたことで、特定のフレーム位置の受信処理として、少ない本数のサブキャリアだけを受信すれば良くなり、特定のフレーム位置だけ受信する場合には、簡単な受信処理で良くなり、効率良く受信できるようになる。
【００３５】
また、特定位置で基地局から送信する端末局宛ての制御信号の一部は、伝送路の推定を不要とする符号化形式で送信することで、端末局側で特定位置の信号を受信した場合に、その受信した信号の伝送路の推定が必要ない簡単な受信処理を実行できるようになる。
【発明を実施するための最良の形態】
【００３６】
以下、本発明の第１の実施の形態を、図１〜図１２を参照して説明する。
【００３７】
まず、本例の無線通信システムの構成例を、図１を参照して説明する。ここでは、１台の基地局１が、有線で接続された外部ネットワーク２に接続してあり、基地局１が複数台の端末局（移動局）３，４と無線通信を行う構成としてある。ここでは２台の端末局だけを示してあるが、より多くの台数の端末局を用意することも可能である。各端末局３，４は、原則的に基地局１との間で無線通信を行う構成としてある。無線通信を行う方式としては、従来の技術の欄で説明した、マルチキャリア信号が使用されるＯＦＤＭ変調方式を適用するようにしてあり、ここではHiSWANa と称される無線通信方式を基本としてある。
【００３８】
基地局の構成について、図２を参照して説明する。図２は、基地局の送信部１００の構成を示した図である。基地局内では、音声信号やデータ通信の為のデジタルデータが図示しないデータ入出力処理部によって適切なデジタルデータ列へと変換され、その出力が送信データ処理部１１０に入力する。ここで、必要であれば、図示しない無線通信の相手である端末局に送信する通信制御データを制御部１０１から受け取り、それを適宜マルチプレックスした後に無線区間で送信される為のフレームやスロット構造を形成して出力する。
【００３９】
送信データ処理部１１０の出力はＣＲＣ付加部１１２に入力され、受信側での誤り検出のための冗長度が付加されて出力される。ＣＲＣ付加部１１２の出力は暗号器１１３に入力され、暗号化が施されて出力される。暗号器１１３の出力はスクランブラ１１４に入力され、或る定められたアルゴリズムにしたがって擬似的にランダムになるようなスクランブル処理を施されて出力される。スクランブラ１１４の出力は符号化器１１５に入力され、誤り訂正符号化が施され出力される。ここでの符号化としては、例えば畳込み符号化、ターボ符号化、リードソロモン符号化、あるいは複数の符号化の組み合わせによる連接符号化など、様々な種類の符号化が適用可能である。
【００４０】
符号化器１１５の出力はインターリーバ１１６に入力され、受信側において逆操作を行うことによりバースト誤りがランダム誤りに変換できるよう、符号化されたビット列を特定の規則に従って並べ替えるインターリーブが施され出力される。インターリーバ１１６の出力は変調器１１７に入力され、送信時の信号点にマッピングされ、同相成分（Ｉ成分）と直交成分（Ｑ成分) とが出力される。それぞれの成分の出力は複素ＩＦＦＴ（逆高速フーリエ変換）部１１８に入力され、逆高速フーリエ変換処理が施されることによるＯＦＤＭ変調が行われて出力される。
【００４１】
このＯＦＤＭ変調された信号は、加算部１１９に入力されるものの、通常はここでは何もされずにそのまま出力される。その出力は時間波形整形部１２０に入力され、例えばサイクルプリフィックス付加によるガードタイムを設け、ＯＦＤＭ変調シンボルの立ち上がりと立ち下がりが滑らかになるようなウィンドウイング処理が施されて出力される。その出力はＤＡ変換器１２１に入力されて、デジタル波形からアナログ波形へと変換されて出力される。その出力はＲＦ送信器１２２に入力される。このＲＦ送信器１２２においては、フィルタリング、Ｉ成分とＱ成分によるベクトル変調、適切な送信周波数チャネルへの周波数変換、送信電力制御、増幅等が行われて出力される。
【００４２】
ＲＦ送信器１２２からの出力信号は、基地局送信部１００からの送信信号として図示しないアンテナ共用器に入力され、そのアンテナ共用器からの出力は図示しないアンテナに入力され、最終的にはそのアンテナから電磁波として送信される。この送信信号は、無線通信の相手である端末局によって受信される。
【００４３】
ここまでの送信系の説明は、通常の送信処理であるが、基地局から端末局宛の特定の制御データを送信する必要が有る場合には、基地局送信部１００は以下のような動作を行なう。即ち、制御部１０１は、端末局宛の特定の制御データが有る事を認識すると、端末局宛の特定の制御データを送信系制御信号線１０２を介して端末局制御信号波形作成部１０３に送り、端末局制御信号波形作成部１０３はその受信したデータに相当する信号波形を作成する。作成された信号波形は加算部１１９に入力され、複素ＩＦＦＴ部１１８からの信号と加算され、出力される。これ以降の処理は上述した通常の送信信号の場合と同様である。
【００４４】
なお、加算器１１９で特定の制御データの信号波形を加算する位置が、複素ＩＦＦＴ部１１８で作成されたＯＦＤＭ変調波と重なる位置である場合には、その重なる位置のＯＦＤＭ変調波は、無効なデータとなるようにする。即ち、送信系制御信号線１０２を介し、送信データ作成部１１１で作成するビット列においてそのサブキャリアで送信されるデータの部分をヌルで埋めるように指示し、送信データ作成部４０１はその処理を行なう。ＣＲＣ付加部１１２から複素ＩＦＦＴ部１１８までは、その部分のデータがないものとして、通常と同様の処理を行なう。そして、加算器１１９で、そのデータがない部分に、端末局制御信号波形作成部１０３が作成した信号波形を加算して、送信処理を行う。
【００４５】
このように構成される基地局からは、端末局に対して制御信号についても伝送するように構成してあり、その制御信号の内の特定の制御信号（制御信号波形作成部１０３で作成される制御信号）については、ＯＦＤＭ変調されたマルチキャリア信号とは別に伝送するようにしてある。ここで、本例における特定の制御信号の配置について概略を説明する。図３は、本例の無線通信システムにおけるキャリア配置の一例を示した図である。
【００４６】
ここでは、20MHz おき（5.17GHz,5,19GHz,5,21GHz,‥‥）に情報通信用キャリアＣ１，Ｃ２，Ｃ３，Ｃ４，‥‥が配置されて、それぞれの情報通信用キャリアで、マルチキャリア信号であるＯＦＤＭ変調信号が伝送されるようにしてある。ここまでは従来例として図２９に示した周波数配置と同じであるが、本例の場合には、20MHz おきに配置された情報通信用キャリアのガードバンドにあたるところに、狭帯域の制御信号用キャリアＣ11，Ｃ12，Ｃ13，‥‥を配置する。この狭帯域の制御信号用キャリアは、情報通信用キャリアの中心周波数からちょうど10MHz 離れたところに配置してあり、ガードバンドの中心に位置していることになる。この狭帯域の制御信号用キャリアを使用して、基地局から端末局宛の一部の制御信号を送信する。
【００４７】
この図３に示すように狭帯域キャリアを配置することで、例えば端末局で狭帯域キャリアを受信するためには、端末局の受信チャンネルを決める周波数シンセサイザを、従来、情報通信用キャリアの周波数間隔である20MHz ステップで変化させる構成であったものを、本例の場合には、10MHz ステップで変化させる構成とすれば、狭帯域キャリアについても受信できるようになる。端末局の具体的な構成については後述する。狭帯域キャリアの信号帯域幅は、好ましくは、情報通信用キャリアのシンボルレートあるいはサンプルレートの整数分の１になっている。狭帯域キャリアが配置された帯域は、ガードバンドにあたる周波数帯であり、隣接帯域への電力の漏洩がなければ、他の帯域での通信を妨げるものではない。
【００４８】
狭帯域キャリアで基地局から送信される信号は、情報通信用キャリアで送信される信号とフレーム同期がとられている。即ち、図４に本例の無線通信システムにおける制御信号の送信フォーマットを示すと、基地局が狭帯域キャリアを使用して送信する制御信号Ｄｂは、情報通信用キャリアで送信される信号Ｄａのフレーム周期であるＭＡＣフレームの送信開始時刻にあわせて送信されている。ＭＡＣフレームは、従来例で図３１を参照して説明したように、一定の時間（ここでは2m秒）毎に周期的に設定される送受信単位であり、図４に示した情報通信用キャリアで送信される信号Ｄａの基本的な構成は、図３１に示した従来の信号と同じである。
【００４９】
それぞれのＭＡＣフレームの前半では、情報通信用キャリアを使用して、基地局から各端末局に送信する下りチャンネルの信号が伝送され、ＭＡＣフレームの後半は、各端末局から基地局への上りチャネルが送信されてくるタイミングとしてある。狭帯域キャリアを使用した基地局から端末局への制御信号Ｄｂの送信については、ＭＡＣフレーム内の下りチャンネルの信号伝送期間内に行われるようにしてある。ここでは、図４に示すように、１単位のＭＡＣフレームの始端から、狭帯域キャリアの送信を開始させ、そのフレーム内のダウンリンクバーストペイロードが終わるまでに、狭帯域キャリアの送信を終了させる。
【００５０】
このように狭帯域信号を基地局から送信することで、端末局では、狭帯域信号のみを受信している場合であっても、該基地局における情報通信用キャリアのＭＡＣフレームの切れ目を認識することが可能となり、狭帯域信号を受信して得られた情報により情報通信用キャリアにおける受信を開始したり情報通信用キャリアにおける送信を開始すべきことが明らかになった場合などには、即座にＭＡＣフレームの切れ目を認識し、所望の処理を行うことが可能となる。
【００５１】
狭帯域キャリアを使用して基地局から端末局に送信される制御信号の一部としては、例えば、端末局を個別又はグループ毎に呼び出すための呼出し信号とする。この信号を端末局で受信することで、端末局は基地局からの呼び出しがあることを判別できる。この呼出し信号を使用した処理の具体例については後述する。なお、本例の場合には、狭帯域キャリアを使用して端末局の呼出し信号を基地局から送信する場合であっても、情報通信用キャリアを使用して、ＭＡＣフレーム内の制御信号送信区間内にも、予めシステムで決められた通りの構成で、端末局の呼出し信号を送信する。但し、情報通信用キャリアを使用した、端末局の呼出し信号の内の一部の信号の送信については、省略するようにしても良い。
【００５２】
ここまで説明したように狭帯域キャリアを使用して送信する場合に、基地局は、図３に示すように各ガードバンドに配置された複数の狭帯域キャリアで、それぞれの別の信号を送信するようにして、例えば１本の狭帯域キャリアに割当てる端末局（又はグループ）を予め決めるようにしても良い。
【００５３】
或いは、複数の狭帯域キャリアにて同一の信号を送信するようにしても良い。これは、伝送路が遅延を伴うマルチパスにより周波数選択性フェージングの影響を受けている場合には特に有効で、情報通信用キャリアの下方に配置された狭帯域キャリアで送信された信号がフェージングの谷に落ちていた場合であっても、情報通信用キャリアの上方に配置された狭帯域キャリアで送信された信号はフェージングの谷に落ちていないなどという周波数ダイバーシティ効果を得ることができる。このような場合、端末局は、上方に配置された狭帯域キャリアと下方に配置された狭帯域キャリアのうちどちらか受信状況のよいほうを受信することが可能となる。
【００５４】
なお、図３，図４に示した周波数配置では、狭帯域キャリアを、ＯＦＤＭ変調信号のガードバンドの中心に配置するようにしたが、ガードバンドの中心でなくても良い。例えば、図５に示すように、複数のサブキャリアが一定の周波数間隔で配置されたＯＦＤＭ変調信号Ｃ１の内の最も上又は下の周波数のサブキャリアに隣接して、制御信号用の狭帯域キャリアＣ11′を配置しても良い。この場合、制御信号用の狭帯域キャリアＣ11′と隣接したサブキャリアとの周波数間隔を、ＯＦＤＭ変調信号のサブキャリアの周波数間隔と等しく設定するようにしても良い。
【００５５】
この図５に示すように制御信号用の狭帯域キャリアを配置することで、基地局側で狭帯域キャリアを配置する処理が、ＯＦＤＭ変調信号を生成させるブロック内で、他の信号と同時に処理できることになる。即ち、この場合には、送信データ処理部１１１から変調器１１７までの回路で、狭帯域キャリア用の制御信号についても同時に送信処理を行い、複素ＩＦＦＴ部１１８でサブキャリアが１本多いＯＦＤＭ変調信号を生成させれば良い。図５のキャリア配置で送信処理を行う場合には、端末局制御信号波形作成部１０３と加算器１１９は必要なくなり、それだけ基地局の送信系の構成が簡単になる。
【００５６】
また、ガードバンドの中心や、ＯＦＤＭ変調信号を構成するサブキャリアに隣接した位置以外に、制御信号用の狭帯域キャリアを配置して無線伝送行うようにしても良い。
【００５７】
次に、本例の無線通信システムで使用される端末局の構成について説明する。図６は、本例の無線通信システムにおける端末局装置２００の構成の一例を示した図である。端末局装置２００は、例えば、内蔵されたバッテリを電源として使用して、持ち運び可能な移動局として構成される。
【００５８】
まず、端末局装置２００の送信系の構成について説明する。音声通信の場合は音声コーダーの出力が、コンピュータと接続されるようなデータ通信の場合にはデータ信号がデータ入出力処理部２０１に入力され、適切なデジタルデータ列へと変換される。その出力は送信データ処理部２１１に入力され、必要であれば図示しない無線通信の相手である別のＯＦＤＭ無線装置（基地局）に送信する通信制御データを制御部２０２から受け取り、それを適宜マルチプレックスした後に無線区間で送信される為のフレームやスロット構造を形成して出力される。
【００５９】
送信データ処理部２１１の出力は、ＣＲＣ付加部２１２に入力され、受信側での誤り検出のための冗長度が付加されて出力される。その出力は暗号器２１３に入力され、暗号化が施されて出力される。その出力はスクランブラ２１４に入力され、或る定められたアルゴリズムにしたがって擬似的にランダムになるようなスクランブル処理を施されて出力される。その出力は符号化器２１５に入力され、誤り訂正符号化が施され出力される。畳込み符号化、ターボ符号化、リードソロモン符号化、あるいは複数の符号化の組み合わせによる連接符号化など、様々な種類の符号化が適用可能である。
【００６０】
符号化器２１５の出力はインターリーバ２１６に入力され、受信側において逆操作を行うことによりバースト誤りがランダム誤りに変換できるよう、符号化されたビット列を特定の規則に従って並べ替えるインターリーブが施され出力される。その出力は変調器２１７に入力され、送信時の信号点にマッピングされ、同相成分（Ｉ成分）と直交成分（Ｑ成分) とが出力される。それぞれの成分の出力は複素ＩＦＦＴ部２１８に入力され、逆高速フーリエ変換処理が施されることによるＯＦＤＭ変調が行われて出力される。その出力は時間波形整形部２１９に入力され、例えばサイクルプリフィックス付加によるガードタイムを設け、ＯＦＤＭ変調シンボルの立ち上がりと立ち下がりが滑らかになるようなウィンドウイング処理が施されて出力される。
【００６１】
時間波形整形部２１９の出力は、ＤＡ変換器２２０に入力されてデジタル波形からアナログ波形へと変換されて出力される。ＤＡ変換器２２０の出力は、ＲＦ送信器２２１に入力される。このＲＦ送信器２２１においては、フィルタリング、Ｉ成分とＱ成分によるベクトル変調、適切な送信周波数チャネルへの周波数変換、送信電力制御、増幅等が行われて出力される。ＲＦ送信器２２１からの出力信号はアンテナ共用器２２２に入力され、そのアンテナ共用器２２２からの出力はアンテナ２２３に入力され、最終的にはアンテナ２２３から電磁波として送信される。この送信信号は、無線通信の相手である基地局によって受信される。アンテナ共用器２２２は送信信号と受信信号を分離するためのもので、アンテナスイッチ又はデュープレクサが一般に使用される。
【００６２】
次に、端末局の受信系の構成について説明する。まず、端末局２００が情報通信用キャリアにて通常のトラフィックを受信する場合の受信系の処理構成について説明する。ここで、端末局２００で受信する信号は、無線通信の相手である基地局によって送信されたものである。
【００６３】
基地局から送信された信号は、電磁波としてアンテナ２２３で受信される。その信号はアンテナ共用器２２２で、端末局からの送信信号と分離された後に、ＲＦ受信器２３０に入力される。ＲＦ受信器２３０においては、ＲＦ増幅器２３１によって受信信号が増幅され、その増幅出力が、周波数合成器２３３によって作られる正弦波と直交検波器２３２において混合され、ＤＣを中心周波数とするＩ成分とＱ成分に分離され、第１，第２のフィルタ２３４，２３５によって特定の信号の帯域だけが濾過される。第１のフィルタ２３４は、後述する狭帯域キャリア又は特定のサブキャリアで伝送される、特定の制御信号を抽出するためのフィルタであり、第２のフィルタ２３５よりも通過帯域幅が狭く設定してある。第２のフィルタ２３５は、通常のトラフィックの信号を抽出するためのフィルタであり、ＯＦＤＭ変調された１単位の伝送チャンネルの信号を抽出するためのフィルタである。
【００６４】
第１のフィルタ２３４の出力は、第１のＡＤ変換器２４１に入力されて、アナログ波形からデジタル波形に変換する。第１のＡＤ変換器２４１の出力は、制御信号受信器２４２に入力される。制御信号受信器２４２では、基地局からの制御信号を検出して、その検出情報を、制御信号線（後述する呼出し報知信号線）２０５を介して制御部２０２に伝送する。制御信号受信器２４２で検出する制御信号としては、例えば基地局から自局又は自局が属するグループを呼び出していることを示す信号がある。
【００６５】
第２のフィルタ２３５の出力は、第２のＡＤ変換器２５１に入力されて、アナログ波形からデジタル波形へと変換されて出力される。この出力は、例えばオーバーサンプルされて、ディジタルフィルタなどによりさらに希望信号の帯域だけを濾過する手段が付加されている場合もある。第２のＡＤ変換器２５１の出力は同期回路２５２に入力され、フレーム同期、周波数誤差補正等が施されて出力される。また、電源投入直後等に可能な通信相手を探索するような場合には、この同期回路２５２にて同期信号検出を行ったり初期同期を行うように構成されている。
【００６６】
同期回路２５２の出力は時間波形整形部２５３に入力され、例えばサイクルプリフィックス付加によるガードタイムを除去するような時間波形整形を施されて出力される。この出力は複素ＦＦＴ（高速フーリエ変換）部２５４に入力され、高速フーリエ変換処理が施されることによるＯＦＤＭ復調が行われて出力される。この復調出力は等化器２５５に入力される。等化器２５５においては、伝送路の推定や推定結果による等化が行われる。場合によっては、同期回路２５４の情報も等化器２５５に入力され、伝送路推定等に使用される。等化器２５５の出力は復調器２５６に入力され、信号点判定が施されて受信ビット推定値が出力される。その出力はデインターリーバ２５７に入力され、符号化されたビット列を特定の規則に従って並べ替えるデインターリーブが施され出力される。その出力は復号器２５８に入力され、送信側で施された誤り訂正符号の復号が行われて出力される。
【００６７】
復号器２５８の出力はデスクランブラ２５９に入力され、送信側で行われたスクランブルの逆変換であるデスクランブル処理が施されて出力される。その出力は暗号解除器２６０に入力され、送信側で施された暗号化が解除されて出力される。その出力はＣＲＣチェック部２６１に入力され、ＣＲＣ符号を外したデータとその受信ブロックのＣＲＣチェックの結果とが出力される。その出力は受信データ処理部２６２に入力される。受信ブロックのＣＲＣチェックの結果誤りが無いと判断されていれば、無線区間で送信のために施されたフレーム構造やスロット構造を外して出力する。その出力はデータ入出力処理部２０１に入力され、音声通信の場合は音声信号が、コンピュータと接続されるようなデータ通信の場合にはデータ信号へと変換されて出力される。
【００６８】
受信データに基地局からの通信制御データが含まれていた場合には、その部分を受信データ処理部２６２が取り出して出力し、その出力は受信系制御線２０４を介して制御部２０２に入力され、制御部２０２は受け取った制御データを解釈してその指示に従って端末局２００の各部の動作制御を行う。
【００６９】
仮にＡＲＱ方式が採用されている場合には、受信データ処理部２６２は以下のように動作する。即ち、ＣＲＣチェック部２６１からの入力信号に、受信ブロックに誤りが含まれていないという情報が含まれていた場合は、上述したように受信ブロックを受信データ処理部２６２へと出力する一方、受信ブロックに誤りが含まれていなかった旨を受信系制御線２０４を介して制御部２０２へと出力し、これを受け取った制御部２０２は、基地局にＡＣＫ信号を送信するように送信系制御線２０３を介して送信データ処理部２１１に指示し、送信データ処理部２１１は送信ＡＣＫ信号を送信データにマルチプレックスする等して、以下は既に説明したような送信系の動作にしたがってＡＣＫ信号が基地局に向けて無線送信される。
【００７０】
逆に、ＣＲＣチェック部２６１からの入力信号に、受信ブロックに誤りが含まれていたという情報が含まれていた場合は、上述したような受信ブロックを受信データ処理部２６２へと出力せず、受信ブロックに誤りが含まれていた旨を受信系制御線２０４を介して制御部２０２へと出力し、これを受け取った制御部２０２は、基地局にＮＡＫ信号を送信するように送信系制御線２０３を介して送信データ処理部２１１に指示し、送信データ処理部２１１は送信ＮＡＫ信号を送信データにマルチプレックスする等して、以下は既に説明したような送信系の動作にしたがってＮＡＫ信号が基地局に向けて送信される。これを受信した基地局は、ＮＡＫ信号が送られてきたブロックの再送を行う。
【００７１】
仮にＡＲＱ等の再送が用いられていない、音声通信のようなストリーム通信の場合には、受信データ処理部２６２は以下のように動作する。即ち、ＣＲＣチェック部２６１からの入力信号に、受信ブロックに誤りが含まれていないという情報が含まれていた場合は、上述したように受信ブロックを受信データ処理部２６６へと出力する。逆に、ＣＲＣチェック部２６１からの入力信号に、受信ブロックに誤りが含まれていたという情報が含まれていた場合は、受信データ処理部２６２は当該受信ブロックを破棄し、イレイジャーとして扱い、ひとつ前の受信ブロックを用いて補完するなどの処理を行う。
【００７２】
送信系の各部は送信系制御線２０３を介して制御部２０２に接続されており、制御部２０２はこれを介して送信系のオン・オフ制御、ＲＦ送信器２２１の動作制御・状態監視、送信タイミングの微調整、符号化方式や信号点マッピングの方式の変更、前述した再送制御等、様々な送信系の動作の制御・監視を行う。受信系の各部は受信系制御線２０４を介して制御部２０２に接続されており、制御部２０２はこれを介して受信系のオン・オフ制御、ＲＦ受信器２３０の動作制御・状態監視、受信タイミングの微調整、復号方式や信号点デマッピングの方式の変更、前述した再送制御等、様々な受信系の動作の制御・監視を行う。
【００７３】
次に、本例の通信システムでの端末局２００の待受け時の動作について、図７を参照して説明する。ここでの待受けとは、基地局と情報通信は行っていないものの、基地局から呼出された場合にはこれに応答する状態である。また以下の説明では、狭帯域キャリアで送信されてくる制御信号は、具体的には端末局の呼出の為の信号データ、又はその呼出の為の信号データの一部である場合を想定する。
【００７４】
まず端末局２００は、電源オンになってから（ステップＳ１１）、待受け動作に入る前に、基地局に対してアソシエーションを行ない、呼出のための符号、ないしはそれに相当するデータを受信済みとする（ステップＳ１２）。また、基地局と端末局のネゴシエーションによって受信すべきフレーム間隔を間引く事も合意されており、その時間間隔ならびに基準時間も端末局２００の制御部２０２に設定されているものとする。
【００７５】
ここまでの設定が行われた上で、狭帯域キャリアで送信されてくる制御信号を受信する際には、端末局内の基本周波数発振器と制御部２０２の内部に有るカウンタだけが常時動作し、次に起動して受信すべきタイミングを測定するタイマーセットが行われた状態としており、それ以外の全ての部分は受信系制御信号線２０４を介した制御部２０２からの制御により、電源がオフになったスリープ状態とされる（ステップＳ１３）。
【００７６】
このスリープ状態となっているときに受信すべき時間が近づくと、基本周波数発振器の周波数誤差及び端末局受信機の電源投入後の立ち上がり時間を考慮に入れて、制御部２０２は受信すべき信号が来ると想定している時間より若干早く、受信系の制御信号線２０４を介して、待受け信号受信に必要な部分の電源をオンにするように制御を行う。
【００７７】
そして、狭帯域キャリアで送信されてくる制御信号を受信するタイミングになると、第１のフィルタ２３４と第１のＡＤ変換器２４１と制御信号受信器２４２のみが動作を開始し、基地局から送信された信号のうち、狭帯域キャリアで送信された制御信号の帯域を受信する（ステップＳ１４）。この際、第２のフィルタ２３５を除くＲＦ受信器２３０と第１のＡＤ変換器２４１と制御信号受信器２４２の電源がオンになるだけで、端末局内の他の受信部は電源オンとならない。
【００７８】
具体的には、狭帯域キャリアの帯域幅に相当する第１の帯域幅のみ通過するよう、第１のフィルタ２３４によって受信信号は帯域制限され、その出力が第１のＡＤ変換器２４１に入力される。このように帯域を制限されたアナログ受信信号は、第１のＡＤ変換器２４１において、この第１の帯域幅の１倍以上の周波数、好適には２倍以上の周波数でサンプリングされ、デジタル信号に変換されて出力される。出力されたデジタル信号は、基地局からの呼出し信号を検出する制御信号受信器２４２に入力され、自分（自局）、あるいは自分を含む呼出しグループが呼出されていないかを判断する。
【００７９】
制御信号受信器２４２において、自分、あるいは自分を含む呼出しグループが呼出されていると判断された場合には、呼出し報知信号線２０５を介して呼出されている旨を制御部２０２に通知し、自局が呼び出された場合の処理に移る（ステップＳ１５）。例えば、次のＭＡＣフレームのＯＦＤＭ変調信号の先頭部で送信される、もともとシステムにおいて用意されている、正規の呼出信号が含まれる制御信号を受信できるように、制御部２０２は受信系制御信号線２０４を介して受信系を動作させる。この場合、キャリア配置が例えば図３に示す設定である場合には、狭帯域キャリアの受信から、ＯＦＤＭ変調信号の受信に移るので、少なくとも10MHz 受信周波数が変化する。そして、その受信したＭＣＡフレーム内に配された制御信号で指示された、自局に割当てられた周波数やタイムスロットなどを判断して、その指示された周波数やスロットを使用して、情報伝送を行う（ステップＳ１６）。
【００８０】
ステップＳ１４での狭帯域キャリアの受信で、自局（又は自局が属するグループ）が呼び出されてないと判断した場合には、ステップＳ１３のスリープ状態に戻って、次の狭帯域キャリアの受信まで待機する。そして、ステップＳ１４での狭帯域キャリアの受信で、自局（又は自局が属するグループ）が呼び出された判断して、ステップＳ１５での正規の呼出信号が含まれる制御信号を受信して、自局に対するタイムスロットの割当が行われていなかった場合には、自局を含む呼出しグループ内の他の端末が呼出されたか、或いは呼出し信号の受信判断を誤ったと判断し、制御部２０２は内部のカウンタをリセットするとともに、受信系制御信号線２０４を介して図示しない基本周波数発振器と制御部２０２の内部に有るカウンタ以外の電源をオフに制御し、端末局２００はステップＳ１３の待受けスリープ状態に戻る。
【００８１】
なお、待ち受け状態からの状態遷移を示した図７の例では、基地局から送信される制御信号の受信処理だけで、トラフィックの送受信に移るようにしたが、端末局でのトラフィックの送受信に移る前に、端末局から基地局側にもアクセス用の信号の送信が必要なシステムにも適用可能である。図８は、この場合の状態遷移の例を示した図である。
【００８２】
この図８の例の場合には、ステップＳ１４で狭帯域キャリアの受信で、自局（又は自局が属するグループ）の呼び出しを判別した場合に、ステップＳ１７に移って、制御部２０２は送信系制御信号線２０３を介して送信系の電源をオンにし、ＭＡＣフレーム内の上りランダムアクセスチャネルで送信し、更に制御部５０４は適正なタイミングで受信系制御信号線２０４を介して受信系を動作させて、第１のフィルタ２３４と第１のＡＤ変換器２４１と制御信号受信器２４２を除いた全ての受信系の電源をオンにして、ＭＡＣフレーム内の基地局からの下りの応答を受信し、その応答に拠って、本当に自局宛の呼出しであったのか、自局を含む呼出しグループを呼出していてしかも自局が呼出されているのか、自局を含む呼出しグループを呼出していたのだが実際には自局は呼びだされていなかった、あるいはそもそも自局宛あるいは自局を含む呼出しグループに対する呼出し信号では無かったのか、を確認し自局が呼出されていることが判った場合に、通常の呼接続開始手順に入って、ステップＳ１８のトラフィックの送受信に移るように制御を行う。
【００８３】
このようにランダムアクセスチャネルとその応答を使用して確認した結果自分が呼出されていなかった事が判った場合には、自分を含む呼出しグループの他の端末が呼出されたか、呼出し信号の受信判断を誤ったと判断し、制御部２０２は内部のカウンタをリセットするとともに受信系制御信号線２０４を介して図示しない基本周波数発振器と制御部２０２の内部に有るカウンタ以外の電源をオフに制御し、端末局２００はステップＳ１３の待受けスリープ状態に戻る。制御信号受信器２４２において、自局、あるいは自局を含む呼出しグループが呼出されていないと判断された場合には、呼出し報知信号線２０５を介して制御部２０２に呼出されていない旨を通知する。通知を受けた制御部２０２は内部のカウンタをリセットするとともに受信系制御信号線２０４を介して図示しない基本周波数発振器と制御部２０２の内部に有るカウンタ以外の電源をオフに制御し、端末局２００は、ステップＳ１３の待受けスリープ状態に戻る。図８の状態遷移図のその他の処理については、図７に示した状態遷移の処理と同じである。
【００８４】
次に、狭帯域キャリアで送受信される制御信号の信号方式の例について説明する。本例の場合には、狭帯域キャリアで送受信される制御信号は、ＭＡＣフレーム内のＯＦＤＭ変調信号として伝送される信号とは、別の変調方式の信号を採用するようにしてあり、受信側で容易に受信信号の検出ができるようにしてある。ここでは、狭帯域キャリアで制御信号の一部が送信されていることを想定しており、例えば１ＭＡＣフレームあたりに数ビット程度の情報だけを送信する場合に適用される処理である。
【００８５】
まず、図９に基地局側での制御信号の送信構成の一部を示す。基地局は、現在収容している端末局群をいくつかのグループに分け、各々のグループに対する呼出しを時分割で行う場合もある。この場合、端末局はどのタイミングで自分宛ての呼出し信号が送信されてくるかをあらかじめネゴシエーションにより既知であり、そのタイミングでのみ間欠的に受信を行う。
【００８６】
基地局は、それぞれのＭＡＣフレームのタイミングにおいて呼出すべき端末局群の中から、実際に呼出したい端末局をピックアップする。このピックアップ作業は、図９に示した呼出し端末決定手段１３１により行われる。この結果は送信ビット列決定手段１３２に送られ、呼出したい端末局( 複数の場合もある) にあらかじめ対応付けたビット列を生成する。このビット列はＭ−ａｒｙ信号生成手段１３３に送られ、入力されたビット列に該当するＭ−ａｒｙ符号に変換される。
【００８７】
図１１のＡ〜Ｈは、Ｍ−ａｒｙ符号の例を示した図である。ここでは、３ビットのデータを８シンボルのＭ−ａｒｙ符号に変換した例を示したもので、各々のデータに対して、互いに直交するベクトルを割当てる符号化方式であり、受信側では単純な相関検出で、伝送されたデータを検出できる特徴を有した符号である。
【００８８】
このようにしてＭ−ａｒｙ信号生成手段１３３で生成された信号は、ＰＮ（Pseudo Noise）系列生成手段１３５により生成された擬似ランダム系列と、乗算器１３４で乗算( 極性の反転) されることにより、軽くスペクトラム拡散される。図９の例では、７倍に拡散された場合が示されており、最終的に合計５６シンボルが出力される。出力されたシンボルは、例えば図３に示したガードバンドの中心に狭帯域キャリアを配する周波数配置の場合には、基地局内で、ＯＦＤＭ変調信号とは10MHz 離れたところに配置される処理が行われて、送信される。また、例えば図５に示したようにＯＦＤＭ変調信号に隣接して狭帯域キャリアを配置する場合には、図９R>９の構成で生成されたシンボルは、基地局内の送信処理用の複素ＩＦＦＴ部に送られ、情報通信用キャリアの信号とマルチプレクスされて送信される。
【００８９】
次に、このように基地局で生成されて狭帯域キャリアで送信された信号を、端末局側で受信する構成について、図１０を参照して説明する。図１０は端末局２００における受信構成の一部を示した図である。具体的には、図６における制御信号受信器２４２の内部構成を示している。
【００９０】
図６に示した制御信号受信器２４２の前段に配された第１のＡＤ変換器２４１は、例えば狭帯域信号のシンボルレートの２倍のシンボルレートで動作させ、第１のＡＤ変換器２４１の出力は、図示しないディジタルフィルタ(LPF) により信号帯域を制限した後に、図１０に示した入力端２７０へと渡される。この信号は、ＤＬＬ(Delayed Lock Loop) により受信タイミングを補正しながら信号の逆拡散処理ならび復号処理が行われる。
【００９１】
図１０を参照して具体的な信号処理を説明すると、入力された信号は３系統に分割され、遅延回路２７１，２７２を使用して各々１サンプル時間だけずらし、それぞれの系統の信号に対して、変換回路２７３，２７４，２７５でシンボルレートを２倍化する。そして、送信側でスペクトラム拡散時に用いられたＰＮ系列と同様のＰＮ系列を、ＰＮ系列生成手段２８１で生成させ、乗算器２７６，２７７，２７８で各系統の信号にＰＮ系列を乗算して、逆拡散処理を行う。逆拡散処理により得られた３系統の信号のうち、タイミングが真中の信号が復号処理対象となり、他の２つの信号は、減算器２８２で減算が行われた後に、図示しない受信タイミング制御手段へと送られる。受信タイミング制御手段においては、通常のＤＬＬを用いた受信タイミング制御処理と同様の制御処理で、受信タイミングがドリフトしていかないようなタイミング制御を行う。
【００９２】
一方、復号処理対象となった系統の信号は、受信ビット列推定手段２７９へと送られ、相関検出によりＭ−ａｒｙ符号化された信号をＭＬＳＥ（Maximum Likelihood Sequence Estimator:最尤推定) 処理し、受信ビット列の推定値を出力する。この受信ビット列推定値は呼出し端末推定手段２８０におくられ、この呼出し端末推定手段２８０において、該タイミングで自端末局が呼出されているのか否かを判断し、判断結果に応じた処理を行う。
【００９３】
このように図９の構成で制御信号を生成して基地局から狭帯域キャリアなどで送信することで、端末局側での受信構成としては、伝送路の推定が不要であり、図１０に示した通り、簡単な処理で送信されてきた信号を復号することが可能であるのみならず、高い耐雑音特性を有する通信が提供可能となる。また、受信タイミング制御についても、簡単な処理のみで実現することが可能となり、端末局におけるより一層の消費電流削減に貢献する。
【００９４】
なお、図９，図１０に示した制御信号の伝送処理構成では、Ｍ−ａｒｙ符号を利用して、チャンネルレスポンスなどの伝送路推定が不要な簡単な構成で伝送できるようにしたが、上述したＭ−ａｒｙ変調のかわりに既知シンボルであるパイロットシンボルを付加した後にスペクトラム拡散処理を行って送信するようにしても良い。図１２は、このパイロットシンボルを付加する場合の、送信側（基地局）での符号化処理の例を示した図である。この例では、呼出し端末決定手段１３１の出力を送信ビット列決定手段１３２に送り、呼出したい端末局にあらかじめ対応付けたビット列を生成し、生成されたビット列を、パイロット付加手段１３６に送り、既知シンボルであるパイロットシンボルを付加する。
【００９５】
パイロット付加手段１３６でパイロットシンボルが付加された信号は、ＰＮ系列生成手段１３５により生成された擬似ランダム系列と、乗算器１３４で乗算してスペクトラム拡散し、その拡散出力を、図９の例の場合と同様に狭帯域キャリア又は特定のサブキャリアで無線送信する処理を行う。この図１２に示した構成で基地局から送信させた場合には、端末局での受信構成については、受信ビット列推定手段の内部の処理が異なるだけで、図１０に示した構成と同様の処理で復号処理が可能である。
【００９６】
また、呼び出し信号などの制御信号の伝送処理構成として、ＤＣオフセットが簡単に除去できるような符号化形式を採用しても良い。即ち、例えば、図１３Ａに示すように、サブキャリアを使用して移動局の呼出の為の信号データ、又はその呼出の為の信号データの一部を送信する際に、同じデータを偶数回繰り返して送信を行ない、その偶数回の内の半分はデータの極性を反転して送信を行なう。この例では、移動局の呼出の為の信号データ、又はその呼出の為の信号データの一部が、"111010"のような６ビットで構成されていた場合を想定すると、データの変調としてＢＰＳＫ変調のように、データを−１と＋１にマッピングするものとする。このように極性を反転させながら偶数回繰り返して送信を行うことで、例えば図１３Ｂに示すように、端末局内の受信器で得られた波形にＤＣオフセットが生じたとしても、偶数回繰り返された受信信号を利用することで、図１３Ｃに示すように、相互相関波形はＤＣオフセットが除去された波形とすることが容易にできる。
【００９７】
もし、半分のデータの極性を反転させながら偶数回送信させることを実行しない場合には、例えば図１４Ａに示すように、複数回同じデータを繰り返し基地局から送信したとしても、端末局での受信波形に、図１４Ｂに示すＤＣオフセットが生じた場合、図１４Ｃに示す受信側での相互相関波形に、ＤＣオフセットがそのまま残ってしまうが、図１３に示すように送信処理を行うことで、このような問題を簡単に回避できる効果を有する。
【００９８】
上述したＭ−ａｒｙ符号化には必要なビット数が限定されており（例えば情報ビットがｎビットの場合には、Ｍ−ａｒｙ符号化によって２＾ｎビットが送信に必要となる）、実際の運用上それだけのビット数を伝送できない場合には、この図１３に示すように送信処理を行うのが好適である。例えば、使用可能なＤＣサブキャリアの帯域によって制限される移動局の呼出の為の信号データ、又はその呼出の為の信号データの一部のシンボル長が3.2 μsec であったとする。この時、このデータを送信することのできる時間が44μsec で有ったと仮定する。
【００９９】
このように仮定した場合の端末局の呼出の為の信号データ、又はその呼出の為の信号データの一部は、44÷3.2=13.75 となり、13シンボルしか送られないことになり、Ｍ−ａｒｙ符号化には余り適さない。このような場合に、移動局の呼出の為の信号データ、又はその呼出の為の信号データの一部を６ビット長とし、これを複数回、この場合には２回繰り返して送信するものとする。このとき、送信に必要なシンボル長は38.4μsec となり、残った時間には送信しないこととする。
【０１００】
なお、図１３に示した例では、繰返し送信として１回全部のビット列を伝送した後に極性を反転させたビット列を伝送するような例を用いて説明したが、例えば、１ビットおきに反転ビットを挿入するような構成、例えば"111010"を"101010011001"に変換するような構成にしても良い。
【０１０１】
ここで、図１３に示すように制御信号を基地局から送信した場合の、端末局での受信処理例を、図１５を参照して説明する。この図１５は、図６に示した端末局２００内の制御信号受信器２４２の構成例を示した図である。この図１５の例は、簡易な相互相関検出を用いて、制御信号を受信する構成の例である。ここでは制御信号受信器２４２は、複素相互相関計算器２４３、参照信号発生器２４４、比較器２４５、相関閾値設定器２４６から構成される。
【０１０２】
まず、参照信号発生器２４４に対して、受信系制御信号線２０４を介した制御部２０２からの制御によって、自局、又は自局を含む呼出しグループを区別するための符号が送信される場合のビット列がセットされる。このビット列から、参照信号発生器２４４は等価基底帯域系におけるＤＣサブキャリア近傍の少なくとも１つのサブキャリアの帯域で伝送される場合の基底帯域の波形を生成し、複素相互相関計算器２４３に参照信号として入力しておく。
【０１０３】
一方、相関閾値設定器２４６においては、受信系制御信号線２０４を介した制御部２０２からの制御によって、計算される相互相関値が自分もしくは自分を含むグループが呼出されていると判定するための閾値を定め、閾値として比較器２４５に入力しておく。第１のＡＤ変換器２４１から出力された受信デジタル波形は複素相互相関計算器２４３に入力され、ここにおいて相関閾値設定器２４４から入力された参照信号との相互相関が計算され、その値が出力される。その出力は比較器２４５に入力され、ここにおいて相関閾値設定器２４５からセットされた閾値と比較され、閾値よりも相関が高いと判定された場合には、呼出し報知信号線２０５を介して呼出されている旨を制御部２０２に伝える。閾値よりも相関が低いと判定された場合には、呼出し報知信号線２０５を介して呼出されていない旨を制御部２０２に伝える。なお、相関閾値設定器２４６は、無線伝搬路の状況や干渉の状況などに応じて制御部２０２から動的に制御されても良い。
【０１０４】
このように制御信号受信器２４２として、複素相関を求める手法を用いることにより、比較的簡易な構成かつ低消費電力で呼出し信号を検出することが可能となる。
【０１０５】
次に、本発明の第２の実施の形態を、図１６〜図２５を参照して説明する。
【０１０６】
本実施の形態の場合にも、上述した第１の実施の形態の場合と同様に、基地局と端末局との間で、ＯＦＤＭ変調信号を無線伝送する構成としてあり、情報伝送を行う基本的な構成については、第１の実施の形態で説明した構成と同じである。本例においては、第１の実施の形態で呼び出し信号などの特定の制御信号を伝送するために狭帯域キャリアなどを用意して、ガードバンドで伝送する構成とした代わりに、ＯＦＤＭ変調信号内の特定のサブキャリアを使用して、呼び出し信号などの特定の制御信号を伝送するようにしたものである。
【０１０７】
図１６は、本例における１伝送チャンネルのサブキャリアの配置を示した図である。複数のサブキャリアが一定の周波数間隔で配置されてＯＦＤＭ変調信号が構成される。例えば、サブキャリア群が312.5kHzおきに配置され、合計５３本のサブキャリアを用意する。そして本例においては、この５３本のサブキャリアの内の中心である、等価基底帯域系におけるＤＣを中心とするサブキャリアＳＣ1（搬送波周波数帯における中心周波数f0のサブキャリアに相当）と、その中心のサブキャリアＳＣ1 に隣接（ここでは上側に隣接）したサブキャリアＳＣ2 の合計２本のサブキャリアを、各ＭＡＣフレーム内の特定区間で、呼び出し信号などの特定の制御信号の伝送に使用するように構成する。
【０１０８】
図１７は、本例における１ＭＡＣフレームの構成例を示した図である。ここでは、2m秒周期のＭＡＣフレームという送受信単位が定義されており、大別してブロードキャストバースト、ダウンリンクフェーズ、アップリンクフェーズ、コンテンションフェーズの４つの部分から構成される。なお図１７では、ブロードキャストバーストとダウンリンクフェーズだけを示してある。
【０１０９】
ブロードキャストバーストは、ブロードキャストプリアンブル、基地局情報などを同報する為のＢＣＨ、同一フレーム内のトラフィックチャネル割当等を各端末局に通知するためのＦＣＨ、端末局からの発呼に用いられるＲＣＨに対する応答が行われるＡＣＨなどが用意されている。本例の場合には、このブロードキャストバースト内のブロードキャストプリアンブルとＢＣＨとＦＣＨの区間で、上述した図１６に示した２本のサブキャリアＳＣ1 ，ＳＣ2 を、特定の制御信号伝送用に使用する。
【０１１０】
各ＭＡＣフレームにおいて、ブロードキャストバーストのＡＣＨの区間、及びダウンリンクフェーズとアップリンクフェーズの区間の２本のサブキャリアＳＣ1 ，ＳＣ2 は、特定の制御信号の伝送には使用しない。この特定の制御信号の伝送には使用しない区間では、２本のサブキャリアＳＣ1 ，ＳＣ2 は何も情報が伝送されないヌルキャリアとするか、或いは何らかの情報伝送に使用しても良い。また、中心周波数f0のサブキャリアＳＣ1 だけＡＣＨ以降の区間でヌルキャリアとして、隣のサブキャリアＳＣ2 については、ＡＣＨ以降の区間で情報伝送に使用しても良い。
【０１１１】
このようなサブキャリア配置で、基地局から無線送信させる構成としては、例えば、既に第１の実施の形態で説明した図２に示した送信構成が適用でき、２本のサブキャリアＳＣ1 ，ＳＣ2 に配置されるデータに、端末局の呼び出し信号などの特定の制御信号を配置すれば良い。この場合、この２本のサブキャリアＳＣ1 ，ＳＣ2 を使用して伝送する信号については、既に第１の実施の形態の図９〜図１２で説明した場合と同様に、Ｍ−ａｒｙ符号化などの簡易かつ低消費電力処理が可能な簡単な符号化を行って送信するようにしても良い。また、図１３〜図１５で説明した場合と同様に、複数回繰り返し同じデータを反転させて送信させて、ＤＣオフセットを除去できる送信処理を行っても良い。或いは、他のサブキャリアで伝送される信号と、同じ符号化形式で伝送するようにしても良い。
【０１１２】
次に、このようにして基地局から送信される信号を受信する端末局の構成例を、図１８を参照して説明する。図１８に示した端末局２００′は、送信系の構成については図６に示した端末局２００と同じ構成であり、ここでは説明を省略する。端末局２００′の受信系の構成について説明すると、基地局からの無線信号は、アンテナ２２３で受信され、アンテナ共用器２２２を介してＲＦ受信器２３０′に入力される。ＲＦ受信器２３０′においては、ＲＦ増幅器２３１によって受信信号が増幅され、その増幅出力が、周波数合成器２３３によって作られる正弦波と直交検波器２３２において混合され、ＤＣを中心周波数とするＩ成分とＱ成分に分離され、通過帯域可変フィルタ２３６によって、特定の帯域の信号だけが濾過される。
【０１１３】
この通過帯域可変フィルタ２３６は、制御部２０２の制御によって通過帯域が可変設定されるフィルタである。通常の受信時には、図１６に示す１伝送帯域に用意された全て（ここでは５３本）のサブキャリアを全て通過させる広帯域の通過帯域が設定される。また、待ち受け受信時には、ほぼ中心の２本のサブキャリアＳＣ1 ，ＳＣ2 だけを通過させる狭帯域の通過帯域が設定される。
【０１１４】
通過帯域可変フィルタ２３６の出力は、ＡＤ変換器２６３に入力されて、アナログ波形からデジタル波形に変換する。ここでのＡＤ変換器２６３は、サンプリングレート可変ＡＤ変換器としてあり、待ち受け受信時と通常受信時とでサンプリングレートの可変に対処できるようにしてある。このサンプリングレートは、制御部２０２からの制御で設定される。
【０１１５】
ＡＤ変換器２６３の出力は、制御信号受信器２６４と同期回路２５２に入力される。制御信号受信器２６４では、基地局からの制御信号を検出して、その検出情報を、制御信号線（後述する呼出し報知信号線）２０５を介して制御部２０２に伝送する。制御信号受信器２６４で検出する制御信号としては、例えば基地局から自局又は自局が属するグループを呼び出していることを示す信号がある。
【０１１６】
同期回路２５２に入力された信号は、フレーム同期、周波数誤差補正等が施されて出力される。同期回路２５２から受信データ処理部２６２までの受信処理系については、図６に示した端末局２００と同じ構成であり、受信データ処理部２６２の出力はデータ入出力処理部２０１に入力され、音声通信の場合は音声信号が、コンピュータと接続されるようなデータ通信の場合にはデータ信号へと変換されて出力される。
【０１１７】
次に、本例の通信システムでの端末局２００′の待受け時の動作について、図１９を参照して説明する。ここでの待受けとは、基地局と情報通信は行っていないものの、基地局から呼出された場合にはこれに応答する状態である。また以下の説明では、狭帯域キャリアで送信されてくる制御信号は、具体的には端末局の呼出の為の信号データ、又はその呼出の為の信号データの一部である場合を想定する。
【０１１８】
まず端末局２００′は、電源オンになってから（ステップＳ１１）、待受け動作に入る前に、基地局に対してアソシエーションを行ない、呼出のための符号、ないしはそれに相当するデータを受信済みとする（ステップＳ１２）。また、基地局と端末局のネゴシエーションによって受信すべきフレーム間隔を間引く事も合意されており、その時間間隔ならびに基準時間も端末局２００′の制御部２０２に設定されているものとする。
【０１１９】
ここまでの設定が行われた上で、狭帯域キャリアで送信されてくる制御信号を受信する際には、端末局内の基本周波数発振器と制御部２０２の内部に有るカウンタだけが常時動作し、次に起動して受信すべきタイミングを測定するタイマーセットが行われた状態としており、それ以外の全ての部分は受信系制御信号線２０４を介した制御部２０２からの制御により、電源がオフになったスリープ状態とされる（ステップＳ１３）。
【０１２０】
このスリープ状態となっているときに受信すべき時間が近づくと、基本周波数発振器の周波数誤差及び端末局受信機の電源投入後の立ち上がり時間を考慮に入れて、制御部２０２は受信すべき信号が来ると想定している時間より若干早く、受信系の制御信号線２０４を介して、待受け信号受信に必要な部分の電源をオンにするように制御を行う。
【０１２１】
そして、狭帯域キャリアで送信されてくる制御信号を受信するタイミングになると、フィルタ２３６を狭帯域に設定し、ＡＤ変換器２６３を待ち受け受信時用のサンプリングレートに設定して、ＲＦ受信器２３０′と制御信号受信器２６４のみが動作を開始し、基地局から送信された信号のうち、２本のサブキャリアＳＣ1 ，ＳＣ2 だけを受信する（ステップＳ１４）。受信タイミングとしては、各ＭＡＣフレーム内のブロードキャストプリアンブルとＢＣＨとＦＣＨの区間だけを受信する。このときには、受信に関係した部分は、ＲＦ受信器２３０′とＡＤ変換器２６３と制御信号受信器２６４の電源がオンになるだけで、端末局内の他の受信部は電原オンとならない。
【０１２２】
このようにして受信動作を行うことで、サブキャリアＳＣ1 ，ＳＣ2 で伝送された基地局からの呼出し信号が、制御信号受信器２６４に入力され、自分（自局）、あるいは自分を含む呼出しグループが呼出されていないかを判断する。
【０１２３】
制御信号受信器２６４において、自分、あるいは自分を含む呼出しグループが呼出されていると判断された場合には、呼出し報知信号線２０５を介して呼出されている旨を制御部２０２に通知し、自局が呼び出された場合の処理に移る（ステップＳ１９）。ここでは、フィルタ２３６を広帯域に設定し、ＡＤ変換器２６３を通常受信用のサンプリングレートに設定して、同期回路２５２から受信データ処理部２６２までの受信系についても電源オンとして作動させ、例えば次のＭＡＣフレームのＯＦＤＭ変調信号の先頭部で送信される、もともとシステムにおいて用意されている、正規の呼出信号が含まれる制御信号を受信できるようにする。そして、その受信したＭＣＡフレーム内に配された制御信号で指示された、自局に割当てられた周波数やタイムスロットなどを判断して、その指示された周波数やスロットを使用して、情報伝送を行う（ステップＳ２０）。
【０１２４】
ステップＳ１４でのサブキャリアＳＣ1 ，ＳＣ2 だけの受信で、自局（又は自局が属するグループ）が呼び出されてないと判断した場合には、ステップＳ１３のスリープ状態に戻って、次のサブキャリアＳＣ1 ，ＳＣ2 の受信タイミングまで待機する。そして、ステップＳ１４でのサブキャリアＳＣ1 ，ＳＣ2 だけの受信で、自局（又は自局が属するグループ）が呼び出された判断して、ステップＳ１９での広帯域受信で、自局に対するタイムスロットの割当が行われていなかった場合には、自局を含む呼出しグループ内の他の端末が呼出されたか、或いは呼出し信号の受信判断を誤ったと判断し、制御部２０２は内部のカウンタをリセットするとともに、受信系制御信号線２０４を介して図示しない基本周波数発振器と制御部２０２の内部に有るカウンタ以外の電源をオフに制御し、端末局２００はステップＳ１３の待受けスリープ状態に戻る。
【０１２５】
この第２の実施の形態に示すように構成してシステムを運用させることで、端末局での待ち受け時には、搬送波周波数帯における中心周波数f0の近傍の特定のサブキャリアだけを間欠受信すれば良く、簡単な処理で待ち受け受信が実現できることになり、端末局での待ち受け時の低消費電力化に貢献する。この場合、端末局内のＲＦ受信器２３０で受信する受信周波数そのものは、通常の通信時と全く同じであり、例えば20MHz などの受信周波数ステップを従来の端末装置と全く同じに設定でき、端末局の構成の複雑化を回避できる。
【０１２６】
なお、待ち受け状態からの状態遷移を示した図１９の例では、基地局から送信される制御信号の受信処理だけで、トラフィックの送受信に移るようにしたが、第１の実施の形態で図８に示した状態遷移の例の場合と同様に、端末局でのトラフィックの送受信に移る前に、端末局から基地局側にもアクセス用の信号の送信が必要なシステムに、本例の狭帯域での待ち受け信号受信と、広帯域受信とを行うことを適用することも可能である。
【０１２７】
また、この第２の実施の形態での伝送例として示した図１６のサブキャリア配置では、搬送波周波数帯における中心周波数f0のサブキャリアＳＣ1 と、このサブキャリアＳＣ1 に隣接したサブキャリアＳＣ2 の２本のサブキャリアで、端末局の呼び出し信号（又は端末局の呼び出し信号の一部）を伝送するようにしたが、１伝送帯域内における搬送波中心周波数近傍のその他の１つ又は複数の特定のサブキャリアを、呼び出し信号などの特定の制御信号の伝送用に使用する構成としても良い。
【０１２８】
例えば、図２０にサブキャリア配置の別の例を示すと、１伝送帯域が５３本などの複数本のサブキャリアでＯＦＤＭ変調信号が構成される場合に、その搬送波周波数帯における中心周波数f0のサブキャリアＳＣ1 と、このサブキャリアＳＣ1 の上側の周波数位置に隣接したサブキャリアＳＣ2 と、サブキャリアＳＣ1 の下側の周波数位置に隣接したサブキャリアＳＣ3 との、３本のサブキャリアで、端末局の呼び出し信号（又は端末局の呼び出し信号の一部）などの特定の制御信号を伝送するようにする。
【０１２９】
この図２０例の場合の、１ＭＡＣフレーム内のブロードキャストバーストとダウンリンクフェーズを図２１に示すと、この例では、このブロードキャストバースト内のブロードキャストプリアンブルとＢＣＨとＦＣＨの区間で、図２０に示した３本のサブキャリアＳＣ1 ，ＳＣ2 ，ＳＣ3 を、特定の制御信号伝送用に使用する。各ＭＡＣフレームの特定の制御信号の伝送には使用しない区間では、３本のサブキャリアＳＣ1 ，ＳＣ2 ，ＳＣ3 は何も情報が伝送されないヌルキャリアとするか、或いは何らかの情報伝送に使用しても良い。また、中心周波数f0のサブキャリアＳＣ1 だけＡＣＨ以降の区間でヌルキャリアとして、両隣のサブキャリアＳＣ2 ，ＳＣ3 については、ＡＣＨ以降の区間で情報伝送に使用しても良い。
【０１３０】
この３本のサブキャリアＳＣ1 ，ＳＣ2 ，ＳＣ3 で特定の制御信号を伝送する区間では、既に説明したように、相関検出のような簡易かつ低消費電力で受信処理できる符号化形式、或いはＤＣオフセットの除去が容易にできる符号化形式を採用して、制御信号を伝送するようにしても良い。
【０１３１】
さらに別のサブキャリア配置例として、図２２２２に示す構成としても良い。即ち、図２２に示すように、１伝送帯域が５３本などの複数本のサブキャリアでＯＦＤＭ変調信号が構成される場合に、その搬送波周波数帯における中心周波数f0のサブキャリアＳＣ1 （等価基底帯域系におけるＤＣサブキャリア）だけの１本のサブキャリアで、端末局の呼び出し信号（又は端末局の呼び出し信号の一部）などの特定の制御信号を伝送するようにする。
【０１３２】
この図２２例の場合の、１ＭＡＣフレーム内のブロードキャストバーストとダウンリンクフェーズを図２３に示すと、この例では、このブロードキャストバースト内のブロードキャストプリアンブルとＢＣＨとＦＣＨの区間で、図２２に示した１本のサブキャリアＳＣ1 ，ＳＣ2 ，ＳＣ3 を、特定の制御信号伝送用に使用する。各ＭＡＣフレームの特定の制御信号の伝送には使用しない区間では、サブキャリアＳＣ1 は何も情報が伝送されないヌルキャリアとするか、或いは何らかの情報伝送に使用しても良い。
【０１３３】
サブキャリアＳＣ1 で特定の制御信号を伝送する区間では、既に説明したように、相関検出のような簡易かつ低消費電力で受信処理できる符号化形式、或いはＤＣオフセットの除去が容易にできる符号化形式を採用して、制御信号を伝送するようにしても良い。
【０１３４】
また、搬送波周波数帯における中心周波数f0を中心とした複数本のサブキャリアの位置を、呼び出し信号などの特定の制御信号伝送用に割当てる場合に、その複数本のサブキャリアが配置される帯域を占有する１本のサブキャリアを配置するようにしても良い。即ち、例えば図２４に示すように、搬送波周波数帯における中心周波数f0を中心として、本来は３本のサブキャリアＳＣ1 ，ＳＣ2 ，ＳＣ3 が配置される帯域を使用して、１本のサブキャリアＳＣａを配置して、基地局から送信する。そして、この帯域幅の広い１本のサブキャリアＳＣａを使用して、端末局の呼び出し信号などの特定の制御信号を伝送する。
【０１３５】
この図２４例の場合の、１ＭＡＣフレーム内のブロードキャストバーストとダウンリンクフェーズを図２５に示すと、この例では、このブロードキャストバースト内のブロードキャストプリアンブルとＢＣＨとＦＣＨの区間で、図２４に示した１本のサブキャリアＳＣａを、特定の制御信号伝送用に使用する。各ＭＡＣフレームの特定の制御信号の伝送には使用しない区間では、サブキャリアＳＣａの伝送に使用した帯域に、他のサブキャリアと等しい帯域幅の３本のサブキャリアＳＣ1 ，ＳＣ2 ，ＳＣ3 を配置して、情報伝送に使用する。
【０１３６】
帯域幅が広いサブキャリアＳＣａで特定の制御信号を伝送する区間では、既に説明したように、相関検出のような簡易かつ低消費電力で受信処理できる符号化形式を採用して、制御信号を伝送するようにしても良い。
【０１３７】
この図２４，図２５の例のように、帯域幅が広いサブキャリアＳＣａで特定の制御信号を伝送する構成とすると、端末局では、サブキャリアＳＣａで伝送される特定の制御信号を受信し易くなり、簡易かつ低消費電力で誤検出なく良好に信号を受信できるようになる。但し、この図２４，図２５の例の場合には、他のサブキャリアとの直交性が失われる。また、他のサブキャリアを使用して伝送されるデータの伝送特性が劣化しないように、サブキャリアＳＣａの送信電力などの選定に注意を払う必要がある。
【０１３８】
次に、本発明の第３の実施の形態を、図２６〜図２８を参照して説明する。
【０１３９】
本実施の形態の場合にも、上述した第１，第２の実施の形態の場合と同様に、基地局と端末局との間で、ＯＦＤＭ変調信号を無線伝送する構成としてあり、情報伝送を行う基本的な構成については、第１，第２の実施の形態で説明した構成と同じである。本例においては、端末局の呼び出し信号などの特定の制御信号の基地局からの送信を、ＭＡＣフレーム内の専用に用意されたタイミングで行うようにしたものである。
【０１４０】
即ち、既に説明した第１，第２の実施の形態では、特定の制御信号の送信を、予め決めた狭帯域キャリア又は特定のサブキャリアを使用して伝送するようにしたが、本実施の形態では、１ＭＡＣフレーム内の、特定の制御信号送信用に専用に用意された区間を使用して伝送するようにしたものである。
【０１４１】
具体的には、例えば１ＭＡＣフレームとして、ブロードキャストバースト、ダウンリンクフェーズ、アップリンクフェーズ、コンテンションフェーズの４つの部分から構成されると第１の実施の形態では説明したが、ここでは、１ＭＡＣフレームの末尾に、呼び出し信号専用の区間を用意する。例えば図２８に示すように、１ＭＡＣフレーム内の構成として、基地局から制御信号を送信するブロードキャストバースト（ＢＣＨ，ＦＣＨ，ＡＣＨなど）と、基地局から端末局への情報信号などの伝送に使用するダウンリンクフェーズ（ＤＬフェーズ）と、端末局から基地局への情報信号などの伝送に使用するアップリンクフェーズ（ＵＬフェーズ）と、端末局からの発呼に使用されるＲＣＨを含むコンテンションフェーズとが用意されている構成までは、既に第１の実施の形態などで説明した通りである。
【０１４２】
ここで本例においては、図２８に示すように、１ＭＡＣフレーム内のコンテンションフェーズのＲＣＨの後に、呼び出し信号伝送区間を用意して、その呼び出し信号用区間で、基地局から各端末局を呼び出す信号を送信する。なお、この呼び出し信号用区間は、例えば既に提案されているフレーム構成の末尾に用意された、通信に使用しない期間を使用しても良い。
【０１４３】
この呼び出し信号伝送区間に、基地局から送信する信号としては、例えば１ＭＡＣフレーム内の他の区間で配置する信号と同じ変調方式の信号であるＯＦＤＭ変調されたマルチキャリア信号としても良いが、端末局で簡単に受信信号を処理できるような信号を伝送しても良い。
【０１４４】
例えば、呼び出し信号伝送区間に伝送する信号として、クロック周波数が低い信号を伝送するようにしても良い。クロック周波数が低い信号としては、例えば既に第１の実施の形態において、図１１に説明したＭ−ａｒｙ符号化、或いは図１３に説明した偶数回の繰り返し送信処理を行う符号化を適用しても良い。何れにしても、呼び出し信号伝送区間では、ＯＦＤＭ変調信号とは異なる比較的簡単な受信処理で受信できる変調信号を無線伝送するようにする。
【０１４５】
この場合には、端末局として例えば図２６に示す構成が適用可能である。図２６は、端末局の受信系にクロックなどを供給する構成を示した図である。アンテナ２２３で受信した信号は、ＲＦ増幅器２３１によって増幅され、その増幅出力が、周波数合成器２３３によって作られる正弦波と直交検波器２３２において混合され、特定の伝送周波数の受信信号が取り出され、受信処理部２５０に供給される。受信処理部２５０内で受信信号の復調などの受信処理が行われるが、この受信処理部２５０に供給するクロックとして、基本クロック発生器２９２の出力と、基本クロックよりも低周波数の低周波クロック発生器２９３の出力とが、切換スイッチ２９１での切換えで選択的に供給される構成とする。なお、低周波クロック発生器２９３を設ける代わりに、基本クロック発生器２９２の出力を分周器で分周して、低周波クロックを得るようにしても良い。
【０１４６】
そして、通常の受信時には基本クロック発生器２９２の出力を使用して受信処理部２５０で受信処理を行い、端末局での待ち受け時には、低周波クロック発生器２９３の出力を使用して受信処理部２５０で受信処理を行う。端末局での待ち受け時の受信は、基本的に図２８に示した呼び出し信号伝送区間だけを受信する間欠受信を行えば良く、また数フレームに１回だけ受信するようなことも可能である。
【０１４７】
端末局のその他の構成や基地局の構成については、第１，第２の実施の形態で説明した構成が適用可能であり、ここでは説明を省略する。
【０１４８】
このように構成して端末局で待ち受け時の受信を行うことで、端末局での待ち受け時の消費電力を効果的に低減させることができる。この場合、本例の場合には、呼び出し信号伝送区間については、ＯＦＤＭ変調信号が伝送されないので、他のＯＦＤＭ変調信号の伝送に及ぼす影響が全くなく、呼び出し信号を既に説明した他の実施の形態の場合よりも良い条件で伝送できる可能性が高い。また、無線伝送される周波数については、呼び出し信号伝送区間と他の区間とで全く同じであり、周波数合成器２３３が作成する周波数ステップについては、従来と全く変更する必要がなく、端末局の構成が複雑にならない。
【０１４９】
なお、呼び出し信号伝送区間に伝送する信号の伝送帯域が、他の区間で伝送する信号の帯域幅よりも狭い場合には、呼び出し信号受信時に、受信系に帯域フィルタを通過させる構成とすれば良い。即ち、例えば図２７に示すように、ＲＦ増幅器２３１の出力と周波数合成器２３３の出力とを混合する直交検波器２３２の出力を、切換スイッチ２９４に供給し、帯域フィルタ２９５を通過させる系と、フィルタを通過させない系とを切換えられる構成とする。そして、帯域フィルタ２９５を通過させた系の出力と、フィルタを通過させない系の出力とを、切換スイッチ２９６で選択して、受信処理部２５０に入力させる。帯域フィルタ２９５は、呼び出し信号伝送区間に伝送する呼び出し信号の伝送帯域を抽出するフィルタである。受信処理部２５０に供給するクロックは、基本クロック発生器２９２の出力と、低周波クロック発生器２９３の出力とを、切換スイッチ２９１での切換えで選択的に供給する構成とする。
【０１５０】
各切換スイッチ２９１，２９４，２９６の切換えは、端末局の受信状態に連動して制御部の制御で実行する。即ち、端末局で待ち受け状態の場合に基地局からの呼び出し信号を受信する場合には、クロックを選択する切換スイッチ２９１を低周波クロック発生器２９３側とし、フィルタの使用，不使用を選択する切換スイッチ２９４，２９６を帯域フィルタ２９５を使用する側とする。そして、端末局で情報伝送などを行う通常の受信状態の場合には、クロックを選択する切換スイッチ２９１を基本クロック発生器２９２側とし、フィルタの使用，不使用を選択する切換スイッチ２９４，２９６を帯域フィルタ２９５を使用しない側とする。なお、呼び出し信号伝送区間に伝送される呼び出し信号の伝送周波数が、情報伝送などの際に基地局から伝送される周波数と異なる場合には、周波数合成器２３３の出力周波数についても連動して変化させる必要がある。
【０１５１】
このように端末局を構成することで、クロック周波数の変化だけでなく、伝送帯域の変化にも容易に対処できるようになる。
【０１５２】
なお、ここまで説明した各実施の形態では、HiSWANa と称される無線通信方式に適用する例を基本として説明したが、その他のＯＦＤＭ変調方式を適用して無線通信を行うシステムにも適用可能である。その場合には、１単位のＯＦＤＭ変調信号を構成するサブキャリアの本数や、周波数配置などを適宜変更する必要がある。
【０１５３】
また、上述した各実施の形態では、狭帯域キャリアや特定のサブキャリアなどで伝送される特定の制御信号として、端末局の呼び出し信号（或いは呼び出し信号の一部）を配置するようにしたが、その他の特定の制御信号を配置して無線伝送するようにしても良い。
【０１５４】
また、上述した第１の実施の形態では、端末局の構成として、狭帯域キャリアなどで伝送される特定の制御信号を受信するためのフィルタやＡＤ変換器と、通常受信時に１伝送帯域の全ての信号を受信するためのフィルタやＡＤ変換器とを別に用意する構成とし、第２の実施の形態では、フィルタやＡＤ変換器として可変設定できるものを用意して、共通に使用される構成としたが、それぞれの端末局の構成を、別の実施の形態の例に適用することも可能である。第３の実施の形態についても、フィルタやＡＤ変換器については、第１，第２の実施の形態で説明したいずれの構成を適用しても良い。
【０１５５】
また、ここまで説明した各実施の形態においては、ＯＦＤＭ変調方式で無線通信を行う基地局と端末局内に、それぞれ呼び出し信号などの特定の制御信号を送信又は受信するための処理回路を構成させるようにしたが、例えば同様の送信処理及び／又は受信処理を実行する制御プログラムをソフトウェアとして作成して、その制御プログラムを基地局又は端末局に実装させて、同様の送信動作や受信動作を行うようにしても良い。この場合、制御プログラムは、例えばディスク，テープなどの媒体に記憶（記録）させて、基地局を運用する会社に配付したり、端末局を所持するユーザに配付すれば良い。或いは、インターネットなどの伝送媒体を介して配付するようにしても良い。
【図面の簡単な説明】
【０１５６】
【図１】本発明が適用されるシステム構成例を示した説明図である。
【図２】本発明の第１の実施の形態による基地局の送信部の構成例を示したブロック図である。
【図３】本発明の第１の実施の形態によるキャリア配置例を示した周波数特性図である。
【図４】本発明の第１の実施の形態による信号送信状態の例を示したタイミング図である。
【図５】本発明の第１の実施の形態による他のサブキャリア配置例を示した周波数特性図である。
【図６】本発明の第１の実施の形態による端末局の構成例を示したブロック図である。
【図７】本発明の第１の実施の形態による端末局の状態遷移例（例１）を示した説明図である。
【図８】本発明の第１の実施の形態による端末局の状態遷移例（例２）を示した説明図である。
【図９】本発明の第１の実施の形態による基地局の構成の一部を示したブロック図である。
【図１０】本発明の第１の実施の形態による端末局の構成の一部を示したブロック図である。
【図１１】本発明に適用されるＭ−ａｒｙ符号化の一例を示した説明図である。
【図１２】本発明の第１の実施の形態による基地局の他の構成例の一部を示したブロック図である。
【図１３】ＤＣオフセットが除去される制御信号の伝送処理例を示した説明図である。
【図１４】ＤＣオフセットが除去されない場合の例を示した説明図である。
【図１５】本発明の第１の実施の形態による端末局の要部の構成の一例を示したブロック図である。
【図１６】本発明の第２の実施の形態によるサブキャリア配置例を示した周波数特性図である。
【図１７】本発明の第２の実施の形態による制御信号送信状態の例を示したタイミング図である。
【図１８】本発明の第２の実施の形態による端末局の構成例を示したブロック図である。
【図１９】本発明の第２の実施の形態による端末局の状態遷移例を示した説明図である。
【図２０】本発明の第２の実施の形態によるサブキャリア配置の他の例を示した周波数特性図である。
【図２１】図２０の例の制御信号送信状態の例を示したタイミング図である。
【図２２】本発明の第２の実施の形態によるサブキャリア配置の更に他の例を示した周波数特性図である。
【図２３】図２２の例の制御信号送信状態の例を示したタイミング図である。
【図２４】本発明の第２の実施の形態によるサブキャリア配置の更に他の例を示した周波数特性図である。
【図２５】図２４の例の制御信号送信状態の例を示したタイミング図である。
【図２６】本発明の第３の実施の形態による端末局でのクロック周波数を変化させる構成例を示したブロック図である。
【図２７】本発明の第３の実施の形態による端末局でのクロック周波数とフィルタを変化させる構成例を示したブロック図である。
【図２８】本発明の第３の実施の形態によるフレーム構成例を示した説明図である。
【図２９】従来の無線通信システムのキャリア配置例を示した周波数特性図である。
【図３０】従来の無線通信システムのサブキャリア配置例を示した周波数特性図である。
【図３１】従来の無線通信システムの制御信号送信状態の例を示した説明図である。
【図３２】従来の端末局の構成例を示したブロック図である。
【符号の説明】
【０１５７】
１…基地局、２…外部ネットワーク、３，４…端末局（移動局）、１００…基地局送信部、１０１…制御部、１０２…制御信号線、１０３…端末局制御信号波形作成部、１１１…送信データ処理部、１１２…ＣＲＣ付加部、１１３…暗号器、１１４…スクランブラ、１１５…符号化器、１１６…インターリーバ、１１７変調器、１１８…複素ＩＦＦＴ（逆高速フーリエ変換）部、１１９…加算部、１２０…時間波形整形部、１２１…ＤＡ変換器、１２２…ＲＦ送信器、１３１…呼び出し端末決定手段、１３２…送信ビット列決定手段、１３３…Ｍ−ａｒｙ信号生成手段、１３４…混合器、１３５…ＰＮ系列生成部、１３６…パイロット付加手段、２００，２００′…端末局、２０１…データ入出力処理部、２０２…制御部、２０３，２０４，２０５…制御信号線、２１１…送信データ処理部、２１２…ＣＲＣ付加部、２１３…暗号器、２１４…スクランブラ、２１５…符号化器、２１６…インターリーバ、２１７…変調器、２１８…複素ＩＦＦＴ（逆高速フーリエ変換）部、２１９…時間波形整形部、２２０…ＤＡ変換器、２２１…ＲＦ送信器、２２２…アンテナ共用器、２２３…アンテナ、２３０，２３０′…ＲＦ受信器、２３１…ＲＦ増幅器、２３２…直交検波器、２３３…周波数合成器、２３４…第１のフィルタ、２３５…第２のフィルタ、２３６…通過帯域可変フィルタ、２４１…第１のＡＤ変換器、２４２…制御信号受信器、２４３…複素相互相関計算器、２４４…参照信号発生器、２４５…比較器、２４６…相関閾値設定器、２５０…受信処理部、２５１…第２のＡＤ変換器、２５２…同期回路、２５３…時間波形整形部、２５４…複素ＦＦＴ（高速フーリエ変換）部、２５５…等化器、２５６…復調器、２５７…デインターリーバ、２５８…復号器、２５９…デスクランブラ、２６０…暗号解除器、２６１…ＣＲＣチェック部、２６２…受信データ処理部、２６３…サンプリングレート可変ＡＤ変換器、２６４…制御信号受信器、２７１，２７２…遅延回路、２７３，２７４，２７５…係数乗算器、２７６，２７７，２７８…混合器、２７９…受信ビット列推定手段、２８０…呼び出し端末推定手段、２８１…ＰＮ系列生成部、２８２…減算器、２９１…切換スイッチ、２９２…基本クロック発生器、２９３…低周波クロック発生器、２９４…切換スイッチ、２９５…帯域フィルタ、２９６…切換スイッチ、３００…端末局、３０１…データ入出力処理部、３０２…制御部、３０３，３０４…制御信号線、３１１…送信データ処理部、３１２…ＣＲＣ付加部、３１３…暗号器、３１４…スクランブラ、３１５…符号化器、３１６…インターリーバ、３１７…変調器、３１８…複素ＩＦＦＴ（逆高速フーリエ変換）部、３１９…時間波形整形部、３２０…ＤＡ変換器、３２１…ＲＦ送信器、３２２…アンテナ共用器、３２３…アンテナ、３３１…ＲＦ受信器、３３２…ＡＤ変換器、３３３…同期回路、３３４…時間波形整形部、３３５…複素ＦＦＴ（高速フーリエ変換）部、３３６…等化器、３３７…復調器、３３８…デインターリーバ、３３９…復号器、３４０…デスクランブラ、３４１…暗号解除器、３４２…ＣＲＣチェック部、３４３…受信データ処理部
【図１】
2005245035.tif 000003
【図２】
2005245035.tif 000004
【図３】
2005245035.tif 000005
【図４】
2005245035.tif 000006
【図５】
2005245035.tif 000007
【図６】
2005245035.tif 000008
【図７】
2005245035.tif 000009
【図８】
2005245035.tif 000010
【図９】
2005245035.tif 000011
【図１０】
2005245035.tif 000012
【図１１】
2005245035.tif 000013
【図１２】
2005245035.tif 000014
【図１３】
2005245035.tif 000015
【図１４】
2005245035.tif 000016
【図１５】
2005245035.tif 000017
【図１６】
2005245035.tif 000018
【図１７】
2005245035.tif 000019
【図１８】
2005245035.tif 000020
【図１９】
2005245035.tif 000021
【図２０】
2005245035.tif 000022
【図２１】
2005245035.tif 000023
【図２２】
2005245035.tif 000024
【図２３】
2005245035.tif 000025
【図２４】
2005245035.tif 000026
【図２５】
2005245035.tif 000027
【図２６】
2005245035.tif 000028
【図２７】
2005245035.tif 000029
【図２８】
2005245035.tif 000030
【図２９】
2005245035.tif 000031
【図３０】
2005245035.tif 000032
【図３１】
2005245035.tif 000033
【図３２】
2005245035.tif 000034